(57)【特許請求の範囲】
【請求項１】
電子放出素子と、該電子放出素子が放出する電子を加速するための加速電位が与えられる電極と、前記電子放出素子が放出する電子が当たることにより発光する蛍光体とを内蔵する表示ユニットを有する表示装置において、
前記表示ユニットの所定面に結合され、前記電極に前記加速電位を供給する端子と、
前記表示ユニットの外側に位置して設けられて、前記端子を覆う絶縁体と、
前記絶縁体を覆い、前記加速電位よりも低い電位が与えられる導体と、
前記表示ユニットを駆動するための信号が入出力される回路と、を備え、
前記回路の少なくとも一部分が、該一部分の前記所定面への正射影が前記端子の少なくとも一部と重なるように配置されていることを特徴とする表示装置。
【請求項２】
前記導体はグランドに電気的に接続されている、請求項１に記載の表示装置。
【請求項３】
前記所定面は、前記表示ユニットの背面である請求項１または２に記載の表示装置。
【請求項４】
前記加速電位は、７００ボルト以上である請求項１ないし３いずれか１項に記載の表示装置。
【請求項５】
電子放出素子と、該電子放出素子が放出する電子を加速するための加速電位が与えられる電極と、前記電子放出素子が放出する電子が当たることにより発光する蛍光体とを内蔵する表示ユニットを有する表示装置において、
前記表示ユニットの所定面に結合され、前記表示ユニット内に電位を供給する端子と、
前記表示ユニットの外側に位置して設けられて、前記端子を覆う絶縁体と、
前記表示ユニットを駆動するための信号が入出力される回路と、を備え、
該回路の少なくとも一部である第１の部分が、該第１の部分の前記所定面への正射影が前記端子の少なくとも一部と重なるように配置されており、前記絶縁体と前記第１の部分との間に、前記加速電位よりも低い電位が与えられる導体を有することを特徴とする表示装置。
【請求項６】
前記導体はグランドに電気的に接続されている、請求項５に記載の表示装置。
【請求項７】
前記導体は金属板である、請求項１ないし６いずれかに記載の表示装置。
【請求項８】
前記導体は前記絶縁体に被覆されている、請求項１ないし６いずれかに記載の表示装置。
【請求項９】
前記表示ユニットは、前面および背面が、それぞれ略平面をなし互いに略平行である請求項１ないし８いずれか１項に記載の表示装置。
【発明の詳細な説明】
【０００１】
【発明の属する技術分野】
本発明は、文字や画像等の情報を表示する表示ユニットを備える表示装置に関する。
【０００２】
【従来の技術】
電子線を利用して画像等の情報を表示する表示装置には、表示ユニットとしてＣＲＴ（Cathode-Ray Tube）を用いる構成が従来から広く用いられてきた。この種のＣＲＴでは、電子線を発生させるために、数十ｋＶの高電圧を供給する構造で、放電等の発生が生じないようにアノードキャップを使用し、ブラウン管に電圧を供給している。例えば、特開平０８−２８７８５１号公報に開示されているように、円形をなす絶縁性のキャップが使用されている。
【０００３】
一方、表示ユニットとしては、薄型であることが望まれており、また前面だけでなく背面も略平面であり、これら前面および背面が互いに略平行であることが望まれていた。近年になって液晶を用いた薄型の平板型の表示装置が、ＣＲＴに替わって普及してきた。しかしながら、液晶を用いた表示装置は、液晶がいわゆる自発光型でないため、バックライトを備える必要がある等の不都合があり、自発光型の表示装置の開発が望まれてきた。
【０００４】
自発光型の表示装置としては、最近ではプラズマディスプレイが製品化されている。いずれも、薄型大画面であり、市場での期待が大きい。また、プラズマディスプレイと並行して、電子放出素子を複数配列し、これを平板型の表示装置に適用することによって、ＣＲＴと同じ品位の発光を得られることが期待され、多くの提案がなされている。例えば特開平４−１６３８３３号公報には、線状熱陰極と、複雑な電極構体を真空パネルに内包した平板型の電子線表示装置が開示されている。また、電子放出素子としては、エミッタコーンを用いた電界放出素子や表面伝導型放出素子が知られており、これら各種電子素子を用いた表示装置も研究が進んでいる。
【０００５】
一般的に、このような真空パネルとしては、複数の電子放出素子をマトリック状に配置して形成された電子源と、この電子源を駆動する駆動配線がマトリックス状に形成されたガラス製のリアプレートと、加速電極および蛍光体が形成されたガラス製のフェースプレートとがそれぞれ枠を介して封着材により気密封着された構成や、フェースプレートとリアプレートとの間隔が狭い場合に、封着材のみで気密封着された構成が知られている。このような表示装置においては、表示ユニットに種々の信号電位を供給して表示を行う。
【０００６】
例えばＣＲＴでは、電子放出素子（電子銃）から電子を放出させるための電圧を生じさせる電位や、アノード電位等が供給される。また、プラズマディスプレイパネルにおいては、プラズマを発生させるための電圧を生じさせる電位が供給される。また、電子放出素子をマトリックス状に配置して電子を放出させて画像等を表示させるフラットパネルディスプレイにおいては、マトリックス駆動のための電位や、電子を加速する電位等が供給される。
【０００７】
【発明が解決しようとする課題】
表示装置においては、表示ユニットのみでなく、該表示ユニットを駆動するための回路を設ける。このような回路としては、表示ユニットに供給する信号を発生する回路や、表示装置の外部から入力された信号を表示ユニットに供給するのに適した信号に変換する回路などがあり、いずれもこの表示装置を駆動するための信号が入出力される回路である。
【０００８】
本願にかかわる発明は、表示装置全体の小型化、薄型化を図るために上述した回路の配置位置の自由度を増すことを課題の一つとする。
【０００９】
そこで本発明は、回路の配置位置の自由度を増した表示装置を提供することを目的とする。
【００１０】
【課題を解決するための手段】
上述した目的を達成するため、本発明に係る表示装置は、以下のように構成される。すなわち、本発明に係る表示装置は、電子放出素子と、この電子放出素子が放出する電子を加速するための加速電位が与えられる電極と、電子放出素子が放出する電子が当たることにより発光する蛍光体とを内蔵する表示ユニットを有する表示装置であって、表示ユニットの所定面に結合されて電極に加速電位を供給する端子と、表示ユニットの外側に位置して設けられて端子を覆う絶縁体と、絶縁体を覆い、加速電位よりも低い電位が与えられる導体と、表示ユニットを駆動するための信号が入出力される回路とを備える。そして、この表示装置は、回路の少なくとも一部分が、この一部分の前記所定面への正射影が端子の少なくとも一部と重なるように配置される。
【００１１】
上記の通りの本発明に係る表示装置は、端子と回路とを重なるように配置することが可能となる。これは、端子を絶縁体で覆うとともに、絶縁体と回路との間に端子に供給される電位よりも低い電位が与えられる導体を設けることにより、端子電位が回路に与える影響が緩和されることによるものである。
【００１２】
また、本発明に係る表示装置の導体はグランドに電気的に接続されているものであってもよい。
【００１３】
さらに、本発明に係る表示装置の所定面は、表示ユニットの背面であるものであってもよく、この場合、端子と回路とを重ねて設けることができるので、特に表示装置全体の構成をコンパクト化することができる。
【００１４】
また、加速電位は、７００ボルト以上であってもよい。
【００１５】
また、本発明に係る表示装置は、電子放出素子と、この電子放出素子が放出する電子を加速するための加速電位が与えられる電極と、電子放出素子が放出する電子が当たることにより発光する蛍光体とを内蔵する表示ユニットを有する表示装置であって、表示ユニットの所定面に結合されて表示ユニット内に電位を供給する端子と、表示ユニットの外側に位置して設けられて端子を覆う絶縁体と、表示ユニットを駆動するための信号が入出力される回路とを備える。そして、この表示装置は、回路の少なくとも一部である第１の部分が、この第１の部分の前記所定面への正射影が端子の少なくとも一部と重なるように配置さており、絶縁体と第１の部分との間に、加速電位よりも低い電位が与えられる導体を有する。
【００１７】
なお、本願にかかわる発明は電子放出素子を用いたものに限られるものではない。例えばプラズマディスプレイパネルやエレクトロルミネッセンスを用いて画像表示を行うＥＬパネルにも適用できる。
【００１８】
以上述べた各発明において、前記導体は金属板であると好適である。また、該導体は絶縁体を被覆するように設ける構成も採用できる。
【００１９】
また特に、前面および背面が略平面をそれぞれなし、互いに略平行である構成の表示ユニットにおいては、表示ユニットの背面側に位置する構成部材をなるべく小さくすることが望まれるため、本発明を特に好適に採用することができる。
【００２０】
さらに、本発明に係る表示装置は、電子放出素子と、この電子放出素子が放出する電子を加速するための加速電位が与えられる電極と、電子放出素子が放出する電子が当たることにより発光する蛍光体とを内蔵する表示ユニットを備える表示装置であって、表示ユニットの所定位置に結合されて電極に加速電位を供給する端子と、表示ユニットの外側に位置して設けられて端子を覆う絶縁体と、表示ユニットを支持する支持構造体とを備える。そして、支持構造体には、絶縁体を保持する保持部が設けられる。
【００２１】
以上のように構成された表示装置によれば、絶縁体が支持構造体の保持部に保持されることによって、絶縁体が表示ユニットの面内方向および面法線方向に対して位置ずれすることが抑制できる。
【００２２】
また、この表示装置によれば、表示ユニットを支持する支持構造体に、絶縁体を保持する保持部が設けられることによって、表示ユニットと絶縁体との固定を強固にする必要が無くなる。さらに、絶縁体は、支持構造体に支持されることにより、絶縁体自体に要求される強度の条件が緩和される。
【００２３】
また、本発明に係る表示装置は、保持部が支持構造体と別体に形成されて、支持構造体に取り付けられている構成を好適に採用できる。なお、支持構造体の一部が保持部を兼ねるように支持構造体に一体に形成されても良い。例えば、支持構造体の一部を、絶縁体を保持可能な形状に形成することにより、支持構造体による絶縁体の保持が実現される。
【００２４】
また、本発明に係る表示装置は、端子が表示ユニットに結合される所定位置が、表示ユニットの背面である構成が好ましい。特に表示ユニットの裏面側に位置する支持構造体に保持部を設ける構成が好ましい。
【００２５】
また、本発明に係る表示装置は、保持部が、絶縁体を表示ユニット側に付勢するように設けられることが好ましく、表示ユニットに対する絶縁体の位置を規制することができる。
【００２６】
また特に、前面および背面がそれぞれ略平面をなし、互いに略平行である構成の表示ユニットにおいては、表示ユニットの背面側に位置する構成部材をなるべく小さくすることが望まれるため、本発明を特に好適に採用することができる。
【００２７】
また、本発明に係る表示装置は、情報を表示する表示ユニットを備える表示装置であって、表示ユニットの所定位置に結合されて表示ユニット内に電位を供給する端子と、表示ユニットの外側に位置して設けられて端子を覆う絶縁体と、表示ユニットを支持する支持構造体とを備える。そして、支持構造体には、絶縁体を保持する保持部が設けられる。
【００２８】
以上のように構成された表示装置によれば、絶縁体が支持構造体の保持部に保持されることによって、絶縁体が表示ユニットの面内方向および面法線方向に対して位置ずれすることを抑制できる。
【００２９】
また、本発明に係る表示装置は、以下のように構成される。すなわち、本発明に係る表示装置は、電子放出素子と、該電子放出素子が放出する電子を加速するための加速電位が与えられる電極と、前記電子放出素子が放出する電子が当たることにより発光する蛍光体とを内蔵する表示ユニットを有する表示装置であって、
表示ユニットの所定位置に結合されて電極に加速電位を供給する端子と、端子に導体ケーブルを介して加速電位を供給する電源とを備える。さらに、この表示装置は、端子と電源との間で、導体ケーブルに沿って導体ケーブルを案内するガイドを有する。
【００３０】
以上のように構成された本発明の表示装置は、端子と電源とを接続する導体ケーブルを、導体ケーブルに沿って案内するガイドを有する。これにより、導体ケーブルに外部から力がかかったとしても導体ケーブルが動いてしまったり、変形するといったことがないので端子に悪影響を及ぼす力がかかることはない。また、導体ケーブルに沿ったガイドであるため、導体ケーブルと他の構成部品との干渉も防ぐことができる。
【００３１】
また、本発明に係る表示装置のガイドは、導体ケーブルを曲げる曲げ部を有する構成が好ましい。この場合、導体ケーブルを曲げることに伴って導体ケーブルと導体ケーブルの接続先（端子や電源など）との間に生じる力を緩和することができる。さらに、加速電位は、７００ボルト以上であってもよい。
【００３２】
また、本発明に係る表示装置は、端子が表示ユニットに結合される所定位置が、表示ユニットの背面である構成が好ましい。
【００３３】
また特に、前面および背面が略平面をそれぞれなし、互いに略平行である構成の表示ユニットにおいては、表示ユニットの背面側に位置する構成部材をなるべく小さくすることが望まれるため、本発明を特に好適に採用することができる。
【００３４】
特に電源を表示ユニットの背面側に配置する構成とすると、表示装置をコンパクトにすることができるが、その場合、導体ケーブルの取り回し空間の制限が大きくなるため本願発明を特に好適に適用できる。また、表示ユニットが前面および背面ともに略平面であり、該前面および背面は互いに略平行である場合には、背面側は特にコンパクトに配置することが望まれ、導体ケーブルの取り回しの制限は特に大きいので本願発明を特に好適に適用できる。
【００３５】
【発明の実施の形態】
次に、本発明の実施の形態について図面を参照して説明する。
【００３６】
（第１の実施形態）
本実施形態の表示装置の模式的な外観斜視図を図１に示す。また、図１に示した表示装置を、図１中に示すＸ方向にみた側断面図を図２に示す。
【００３７】
表示装置１は、画像等が表示されるフェースプレート１０１を、エンジニアリングプラスチックで形成されているカバー１０８の開口部となる前面に配した構成となっている。
【００３８】
フェースプレート１０１は、電子源より放出された電子によって発光する蛍光体よりなる表示部材を有しており、高歪点ガラス材料で構成されている。リアプレート１０２は、電子源を形成するための基板を兼ねており、特開平７−２３５２５５号公報に記載される表面伝導型の電子放出素子がマトリクス状に配列されている。また、リアプレート１０１には、電子放出素子が放出する電子を加速するための加速電位が供給される電極が設けられている。この電極には、７００Ｖ以上の加速電位が供給される。リアプレート１０２の基材としてはフェースプレート１０１と同様のガラス材料が好適である。
【００３９】
外枠１０３は、ガラス製であり、フェースプレート１０１とリアプレート１０２の間隔を規制するために枠状に加工形成されている。フェースプレート１０１、リアプレート１０２、外枠１０３で囲まれる空間を真空に維持するために、封着材料であるガラスフリットを、外枠１０３がフェースプレート１０１とリアプレート１０２と接触する面の間にあらかじめ配置しておき、加熱工程を通して接着固定する。
【００４０】
これらフェースプレート１０１と、リアプレート１０２と、外枠１０３とにより、前面および背面が略平行な表示ユニット（表示パネル）１１３が構成されている。この表示ユニット１１３は、アルミニウムをプレス加工により形成した支持構造体である支持板１０７に両面粘着テープにて接着固定されている。この支持板１０７は電気的に接地された状態にある。
【００４１】
リアプレート１０２には、マトリックス状に複数形成された電子放出素子を目的に応じて駆動できるように、不図示の走査配線および変調駆動用配線が設けられており、これら走査配線および変調駆動用配線は、それぞれの端部が外部からの信号の供給を受ける引き出し部分（引き出し配線）となっている。
【００４２】
ＦＰＣ（フレキシブルプリンテッドケーブル）１０５は、変調駆動用引き出し配線と既知のヒートシール方法で接続されるものであり、ポリイミド材料を主成分とし、可撓性を有する。
【００４３】
回路基板１０９上には、ＦＰＣ１０５を介して変調駆動用の引き出し配線へと信号を送信する変調ドライバ回路１０６、走査配線に信号を送信する走査ドライバ回路１１０等の電気回路の他、走査配線用のＦＰＣ１００１のコネクタ１１１が搭載されている。
【００４４】
支柱１１２は、回路基板１０９と支持板１０７との間に空間を保持しながら、回路基板１０９と支持板１０７とを固定するためのものである。
【００４５】
次に、キャップガイドを取り外した状態の保持ガイド部材の側断面図である図３、保持ガイド部材近傍の拡大側断面図である図４を用いて、絶縁キャップ２０３および保持ガイド部材２０４の各部構成、支持板１０７への取り付け等に関して説明する。
【００４６】
円錐台形状の絶縁キャップ２０３はシリコーン樹脂材料で一体形成されており、市販の１５ｋＶ耐圧を有するケーブル２０２が取り付けられている。このケーブル２０２の一端に接続された電源２０１から、他端に接続された電源導入端子１０４を介してフェースプレート１０１の表示部材に電圧が供給される。電源導入端子１０４は４２６合金（Ｎｉ４２％，Ｃｒ６％，残りＦｅ）からなり、リアプレート１０２のコーナ部に設けた孔に気密に封着結合している。
【００４７】
保持ガイド部材２０４は、絶縁キャップ２０３をＸＹ面内方向およびＺ方向の位置規制をする保持部材と、ケーブル２０２の引き出し方向を規制するためのガイドとを兼ねている。保持ガイド部材２０４のキャップガイド２０６の形状は、絶縁キャップ２０３をＸＹ面内方向およびＺ方向に対する位置規制をしながら保持するため、絶縁キャップ２０３の保持面２０８に対応する形状に加工されている。これにより、絶縁キャップ２０３の保持面２０８が保持ガイド部材２０４のキャップ保持面２０４ａに密着した状態となる。
【００４８】
保持ガイド部材２０４は、不図示のねじにより支持板１０７の支持板背面側１０７ａに固定されているため、絶縁キャップ２０３は支持板１０７に対して動かない構成となっている。保持ガイド部材２０４を支持板１０７に固定することで、絶縁キャップ２０３は、その当接面２０９がリアプレート１０２のリアプレート背面側１０２ａに対して押圧される。なお、キャップガイド２０６の掘り込み深さｄを変更することにより、リアプレート１０２に対する絶縁キャップ２０３の押圧力を制御できる。すなわち、押圧力を小さくしたい場合は堀り込み深さｄを深く、一方、押圧力を大きくしたい場合は堀り込み深さｄを浅くすればよい。また、保持ガイド部材２０４と支持板１０７との間に、スペーサを介在させることでも、押圧力は制御できる。
【００４９】
ケーブルガイド２０７は、電源導入端子１０４側から図中Ｚ方向に取り出したケーブル２０２を、Ｚ方向から−Y方向に方向変換させる曲げ部２１０を有する。また、このケーブルガイド２０７は、ケーブル２０２を長さｌにわたりガイドするため、電源導入端子１０４に無理な力がかかりにくい構成となっている。例えば、ケーブル２０２が一点で支持される構成であった場合、ケーブル２０２の電源２０１が接続された側を力点として力が負荷されて大きく変位すると、作用点となる電源導入端子１０４は、ケーブル２０２を支持する点を支点として力点側が変位した方向と反対側に大きく変位してしまい、電源導入端子１０４に無理な力がかかってしまう。しかしながら、本実施形態の場合、ケーブル２０２がケーブルガイド２０７の長さｌの部分で固定されているため、たとえ、ケーブル２０２の電源２０１が接続された側が大きく変位しても、電源導入端子１０４が接続された側は動かず、よって、電源導入端子１０４に無理な力がかかることはない。
【００５０】
表示装置１のＧＮＤ（グランド）に電気的に接続された支持板１０７に固定された保持ガイド部材２０４は、導電性を有し、表示装置１のＧＮＤに接続された導体カバー２０５により周囲を覆われている。すなわち、加速電位よりも低い電位が与えられている導体カバー２０５により電源導入端子１０４が覆われた状態となっている。
【００５１】
次に、図２中に示す、Ｓ方向にみた絶縁キャップおよび導体カバー近傍の一部透視図を図５に示す。
【００５２】
走査ドライバ回路１１０の表示ユニットへの正射影が電源導入端子１０４と重なるように配置しているが、電源導入端子１０４と走査ドライバ回路１１０との間には電源導入端子１０４を覆う絶縁キャップ２０３とＧＮＤに電気的に接続された導体カバー２０５が存在するため、絶縁キャップ２０３、保持ガイド部材２０４等から電位が漏洩することを抑制できるので、電源導入端子１０４の電位は走査ドライバ回路１１０等の電気回路に電気的な悪影響を及ぼさない。
【００５３】
以上説明したような本実施形態の構成により、以下のような長所が得られる。
【００５４】
（１）絶縁キャップ２０３および保持ガイド部材２０４といった電源導入端子１０４の周辺の構造部を導体カバー２０５で覆うことで、走査ドライバ回路１１０や変調ドライバ回路１０６を搭載した回路基板１０９を保持ガイド部材２０４の直上ぎりぎり（数ｍｍ）まで近づけて配置することができる。放電耐圧が低いＩＣ回路を搭載しているドライバ回路において、高電圧が供給される電圧導入端子１０４の周辺の絶縁キャップ２０３、保持ガイド部材２０４といった部材は高電位をもつこととなるが、導体カバー２０５で覆うことにより電位を規定することができる。この電位を表示装置１のＧＮＤ（＝電気回路のＧＮＤ）と接続することで、絶縁キャップ２０３、保持ガイド部材２０４等からの電位のしみ出しを抑制することができ、回路基板１０９の配置に関する自由度が高められる。これにより、表示装置１の薄型化が可能となる。
【００５５】
（２）保持ガイド部材２０４を支持板１０７に固定することで、絶縁キャップ２０３を支持板１０７に対して動かない構造とすることが可能となり、運搬時の振動や衝撃などによる外力に対して有効な構造となる。すなわち、保持ガイド部材２０４を表示ユニット１１３に固定する場合には、外力に対して有効な構造とするためには、表示ユニット１１３の厚さを厚くすることとなり、表示装置１が厚くならざるを得ないが、本実施形態の構成の場合、表示ユニット１１３の厚みを増す必要がないため、表示装置１の薄型化が可能となる。
【００５６】
（３）ケーブルガイド２０７を形成した保持ガイド部材２０４を配置構成することで、電源２０１の配置に合わせて自由にかつ安全にケーブルを引き回す方向を変えることが可能となり、ケーブル引き回しを自在に扱うことができる。
【００５７】
（第２の実施形態）
図６に、本実施形態の表示装置の導体保持ガイド部材近傍の拡大側断面図を示す。
【００５８】
なお、以下の説明において、導体保持ガイド部材３０１以外の、上述した第１の実施形態と同様の構成に関しての説明は省略するとともに、第１の実施形態と同じ構成要素の符号は第１の実施形態で用いた符号を用いるものとする。
【００５９】
導体保持ガイド部材３０１は、電源導入端子１０４を覆う絶縁キャップ２０３と走査ドライバ回路１１０を含む電気回路との間に位置する電位規定導体と、絶縁キャップ２０３の保持部と、ケーブル２０２をガイドするケーブルガイドとを兼ねる部材であり、アルミニウム材料を加工して形成したものである。
【００６０】
キャップガイド３０６は、第１の実施形態で説明したキャップガイド２０６と同様に、絶縁キャップ２０３をＸＹ面内方向およびＺ方向の位置規制をする保持部材とケーブル２０２の引き出し方向を規制するためのガイドを兼ねている。導体保持ガイド部材３０１のキャップガイド３０６の形状は、絶縁キャップ２０３をＸＹ面内方向およびＺ方向に対する位置規制をしながら保持するため、絶縁キャップ２０３の保持面２０８の形状に加工されている。
【００６１】
また、アルミニウム部材である導体保持ガイド部材３０１を加工形成する際に生じた加工のばりで、ケーブル２０２に損傷を与えることがないように、ケーブル２０２は絶縁被覆部材３０２で覆われている。
【００６２】
導体保持ガイド部材３０１に形成されているケーブルガイド３０７も第１の実施形態で説明したケーブルガイド３０７と同様に、図中Ｚ方向に取り出したケーブル２０２をＺ方向から−Y方向に方向変換させる曲げ部３１０を有する形状とともに、電源導入端子１０４に無理な力がかかりにくい構成となっている。
【００６３】
導体保持ガイド部材３０１を支持板１０７にねじで固定することで、絶縁キャップ２０３を固定することが可能となる。同時に、導体保持ガイド部材３０１は、アルミニウム製の支持板１０７と結合することで電気的につながる。そして、これら支持板１０７と導体保持ガイド部材３０１は、表示装置１のＧＮＤに電気的に接続されているため、第１の実施形態と同様に、絶縁キャップ２０３から電位が漏洩すること抑制できる。
【００６４】
また、導体保持ガイド部材３０１を支持板１０７に固定することで、絶縁キャップ２０３を支持板１０７に対して動かない構造とすることが可能となり、第１の実施形態と同様に、表示ユニットの厚さを増すことなく、運搬時の振動や衝撃などによる外力に対して有効な構造となる。
【００６５】
さらに、本実施形態も、第１の実施形態と同様に、ケーブルガイド３０７を形成した導電保持ガイド部材３０１を配置構成することで、電源２０１の配置に合わせて自由にかつ安全にケーブルを引き回す方向を変えることが可能となり、ケーブル引き回しを自在に扱うことができる。
【００６６】
本実施形態では、導体保持ガイド部材３０１を配置することで、走査ドライバ回路１１０や変調ドライバ回路１０６を搭載した回路基板１０９を導体保持ガイド部材３０１の直上ぎりぎり（数ｍｍ）まで近づけて配置することができる。また、絶縁キャップ２０３の保持およびケーブルガイドとしての機能に加えて電位規定導体としての機能も導体保持ガイド部材３０１にもたせたことで、より表示装置１の薄型化を図ることができるとともに、部品点数も削減され、よりローコストな構造とすることができた。
【００６７】
なお、本実施形態の構成の表示装置１に画像信号を入力し、画像を形成したところ、安定に長時間駆動できることが確認された。
【００６８】
（第３の実施形態）
図７に、本実施形態の表示装置の導体保持ガイド部材近傍の拡大側断面図を示す。
【００６９】
なお、以下の説明において、上述した第１の実施形態と同様の構成に関しての説明は省略するとともに、第１の実施形態と同じ構成要素の符号は第１の実施形態で用いた符号を用いるものとする。
【００７０】
絶縁キャップ導体カバー４０１は、絶縁キャップ２０３の外形形状に合わせて形づくった導電性を有するゴム部材であり、絶縁キャップ２０３と走査ドライバ回路１１０を含む電気回路との間の導体となる。
【００７１】
導電被覆部材４０２は、ケーブル２０２を被覆する導体チューブである。
【００７２】
保護部材４０３は、アルミニウム材料を絶縁キャップ２０３および絶縁キャップ導体カバー４０１が入るように加工形成した部材であり、絶縁キャップ２０３および導体カバー４０１をＸＹ面内方向およびＺ方向に動かないように保持して位置規制する。保持部材４０３は、支持板１０７にねじで機械的に固定した。この固定により、保持部材４０３は、アルミニウム製の支持板１０７と電気的につながる。さらに、導電被覆部材４０２と支持板１０７が表示装置１のＧＮＤに電気的に接続されているため、第１および第２の実施形態と同様に、絶縁キャップ２０３から電位が漏洩することを抑制できる。
【００７３】
本実施形態も、第１および第２の実施形態と同様に、絶縁キャップ導体カバー４０１と導電被覆部材導体４０２の構成により、走査ドライバ回路１１０や変調ドライバ回路１０６を搭載した回路基板１０９を絶縁キャップ導体カバー４０１の直上ぎりぎり（数ｍｍ）まで近づけて配置することができる。
【００７４】
また、本実施形態の場合、絶縁キャップ導体カバー４０１を保護部材４０３を介して支持板１０７に固定することで、絶縁キャップ２０３を支持板１０７に対して動かない構造とすることが可能となり、第１および第２の実施形態と同様に、表示ユニットの厚さを増すことなく、運搬時の振動や衝撃などによる外力に対して有効な構造となるが、絶縁キャップ導体カバー４０１がゴム部材であるため厚さｔを薄くすることができ、さらに表示装置１の薄型化を図ることができる。
【００７５】
なお、本発明に係る表示装置は、テレビやコンピュータの端末機器のモニタに用いられる以外に、広告表示器、標識や、例えばビデオカメラ等の各種電子機器に用いられて好適である。
【００７６】
【発明の効果】
以上説明したように本発明によれば、端子を絶縁体で覆うとともに、絶縁体と回路との間に端子に供給される電位よりも低い電位が与えられる導体を設けることにより端子電位が回路に与える影響を緩和する構成とすることができる。これにより、端子と回路とを重なるような配置にすることができ、回路配置の自由度を増すことができる。
【図面の簡単な説明】
【図１】本発明の第１の実施形態における表示装置の模式的な外観斜視図である。
【図２】図１に示す表示装置の側断面図である。
【図３】本発明の第１の実施形態における、キャップガイドを取り外した状態の保持ガイド部材の側断面図である。
【図４】本発明の第１の実施形態における、保持ガイド部材近傍の拡大側断面図である。
【図５】図２中に示すＳ方向からみた絶縁キャップおよび導体カバー近傍の一部透視図である。
【図６】本発明の第２の実施形態における、導体保持ガイド部材近傍の拡大側断面図である。
【図７】本発明の第３の実施形態における、導体保持ガイド部材近傍の拡大側断面図である。
【符号の説明】
１    表示装置
１０１    フェースプレート
１０２    リアプレート
１０２ａ    リアプレート背面側
１０３    外枠
１０４    端子
１０４    電圧導入端子
１０６    変調ドライバ回路
１０７    支持板
１０７ａ    支持板背面側
１０８    カバー
１０９    回路基板
１１０    走査ドライバ回路
１１１    コネクタ
１１３    表示ユニット
２０１    電源
２０２    ケーブル
２０３    絶縁キャップ
２０４    保持ガイド部材
２０４ａ    キャップ保持面
２０５    導体カバー
２０６、３０６    キャップガイド
２０７、３０７    ケーブルガイド
２０８    保持面
２０９    当接面
３０１    導体保持ガイド部材
３０１    導電保持ガイド部材
３０２    絶縁被覆部材
４０１    絶縁キャップ導体カバー
４０２    導電被覆部材
４０２    導電被覆部材導体
４０３    保持部材
【図１】
0003768876.tif 000002
【図２】
0003768876.tif 000003
【図３】
0003768876.tif 000004
【図４】
0003768876.tif 000005
【図５】
0003768876.tif 000006
【図６】
0003768876.tif 000007
【図７】
0003768876.tif 000008